(57)【要約】【課題】移動パネルの給電部に接続される電源コードの垂れ下がりを防止し、余長配線処理を見栄えよく行うことができる移動パネルへの給電構造を提供する。【解決手段】給電部２０を有し、走行自在に構成された移動パネル１への給電構造であって、前記移動パネルの上端部には、天井７側に設置され下向きに開口した開口部５ａを有した上レール５にガイドされる上ガイド部３が設けられ、前記上レールには、前記給電部に接続される電源コード２が前記移動パネルの移動に伴って追従するように収容され、前記開口部を塞ぐレールカバー部５０が設けられていることを特徴とする。【選択図】図１
2014241702.tif 000002
【特許請求の範囲】
【請求項１】
給電部を有し、走行自在に構成された移動パネルへの給電構造であって、
前記移動パネルの上端部には、天井側に設置され下向きに開口した開口部を有した上レールにガイドされる上ガイド部が設けられ、
前記上レールには、前記給電部に接続される電源コードが前記移動パネルの移動に伴って追従するように収容され、前記開口部を塞ぐレールカバー部が設けられていることを特徴とする移動パネルへの給電構造。
【請求項２】
請求項１において、
前記レールカバー部は、前記開口部を塞ぐ固定レールカバーと、該固定レールカバーの上方に配され、前記移動パネルに連結され前記移動パネルの走行とともに移動する可動レールカバーとを有していることを特徴とする移動パネルへの給電構造。
【請求項３】
請求項１において、
前記レールカバー部は、電源コードに一体に形成されていることを特徴とする移動パネルへの給電構造。
【請求項４】
請求項１〜３のいずれか１項において、
前記上レールの長手方向の端部には、前記電源コードの巻き取り及び繰り出しが自在なコードリール部が設けられていることを特徴とする移動パネルへの給電構造。
【請求項５】
請求項１〜４のいずれか１項において、
前記移動パネルは、表裏に設けられた一対の板材と、該一対の板材間に設けられた枠材とを有し、
前記移動パネルの上端部には、前記上レール内から前記一対の板材と前記枠材との間に形成される空間内へ前記電源コードを前記給電部側に引き込む引き込み部が設けられていることを特徴とする移動パネルへの給電構造。
【発明の詳細な説明】
【技術分野】
【０００１】
本発明は、給電部を有し、走行自在に構成された移動パネルへの給電構造に関する。
【背景技術】
【０００２】
上述のような移動パネルに取り付けられた電気機器等の負荷に電気を供給するため、移動パネルへ給電する手段としては、例えば次の２つが挙げられる。移動パネルに設けた給電部に電源コードを直接接続して給電する手段と、移動パネルと天井、もしくは移動パネルと壁面等に２つのコイルを対向するように設け、電磁誘導を用いて非接触給電にて給電する手段である。
前者の場合は電源コードの余長配線の処理をいかに行うか等が課題となり、例えば電源コードを上レールに沿って這うように設けた場合、電源コードが垂れ下がってしまうことが問題となる。後者の場合は電源コードの配線の煩わしさがない等のメリットがあるが、高出力対応等、技術的な課題がある。
【０００３】
下記特許文献１には、引戸側の電気機器に建具枠側から直接給電する前者の手段をとったものが開示されている。具体的には、建具枠側から引戸側の電気機器に直接給電するためのケーブルを引戸の上框と、建具枠の上枠との空間において折り返してケーブルの途中に折り返し反転部を形成し、このケーブルを上框と上枠とにわたって固定したものが記載されている。
【先行技術文献】
【特許文献】
【０００４】
【特許文献１】実開平７−１１８４０号公報
【発明の概要】
【発明が解決しようとする課題】
【０００５】
しかしながら、特許文献１に記載のものは、引戸を閉じた状態で、ケーブルの一端側の固定点から反転部の曲率中心までの寸法が、引戸の最大移動距離の半分以上になるように寸法設定し、ケーブルの長さを引戸の最大移動距離内で給電可能な長さにしている。よって引戸のように戸の大きさがある程度一定の場合には、上述のような寸法設定が可能であるが、間仕切りパネル等として用いられる移動パネルの場合は、移動距離が設置場所によって異なるため、特許文献１の構成を適用しにくい。
【０００６】
本発明は、上記実情に鑑みてなされたものであり、移動パネルの給電部に接続される電源コードの垂れ下がりを防止し、余長配線処理を見栄えよく行うことができる移動パネルへの給電構造を提供することを目的としている。
【課題を解決するための手段】
【０００７】
上記目的を達成するために、本発明に係る移動パネルへの給電構造は、給電部を有し、走行自在に構成された移動パネルへの給電構造であって、前記移動パネルの上端部には、天井側に設置され下向きに開口した開口部を有した上レールにガイドされる上ガイド部が設けられ、前記上レールには、前記給電部に接続される電源コードが前記移動パネルの移動に伴って追従するように収容され、前記開口部を塞ぐレールカバー部が設けられていることを特徴とする。
【０００８】
本発明においては、前記レールカバー部は、前記開口部を塞ぐ固定レールカバーと、該固定レールカバーの上方に配され、前記移動パネルに連結され前記移動パネルの走行とともに移動する可動レールカバーとを有しているものとしてもよい。
また、本発明においては、前記レールカバー部は、電源コードに一体に形成されているものとしてもよい。
さらに本発明において、前記上レールの長手方向の端部には、前記電源コードの巻き取り及び繰り出しが自在なコードリール部が設けられているものとしてもよい。
そして本発明において、前記移動パネルは、表裏に設けられた一対の板材と、該一対の板材間に設けられた枠材とを有し、前記移動パネルの上端部には、前記上レール内から前記一対の板材と前記枠材との間に形成される空間内へ前記電源コードを前記給電部側に引き込む引き込み部が設けられているものとしてもよい。
【発明の効果】
【０００９】
本発明に係る移動パネルへの給電構造は、上述のような構成としたことで、移動パネルの給電部に接続される電源コードの垂れ下がりを防止し、余長配線処理を見栄えよく行うことができる。
【図面の簡単な説明】
【００１０】
【図１】（ａ）及び（ｂ）は本発明の一実施形態に係る移動パネルへの給電構造が採用された移動パネルの設置状態を模式的に示す概略的全体正面図であり、移動パネルの異なる使用態様例を示す図である。
【図２】（ａ）は同移動パネルを走行自在とする上レールの構造を模式的に示す概略的断面図であり図１（ａ）のＸ−Ｘ線断面図である。（ｂ）は上レールの外観を模式的に示す概略斜視図、（ｃ）は上レールの内部構造を模式的に示す概略斜視図である。
【図３】（ａ）は同移動パネルの上ガイド部と上レールの構造を模式的に示す概略斜視図、（ｂ）は同移動パネルの上端部の構造を模式的に示す概略的斜視図である。
【図４】（ａ）は同移動パネルに接続される電源コードを巻き取るコードリール部の設置例を模式的に示す概略斜視図、（ｂ）は電源コードを引き込む引き込み部の構造を模式的に示す概略斜視図である。
【図５】（ａ）は同移動パネルへの給電構造の変形例であり、この場合に用いられる電源コードを模式的に示した概略的斜視図、（ｂ）は同移動パネルを走行自在とする上レールの構造を模式的に示す概略的断面図である。
【発明を実施するための形態】
【００１１】
以下に本発明の実施の形態について、図面に基づいて説明する。
なお、一部の図では、他図に付している詳細な符号の一部を省略している。
図の中には、説明のため一部構成部材の図示を省略して説明している。
さらに、以下の各実施形態では、移動パネル１が設置された状態を基準として、上下・左右方向等の方向を原則的に説明する。
【００１２】
本実施形態に係る移動パネル１への給電構造は、給電部２０を有し、走行自在に構成された移動パネル１への給電構造である。移動パネル１の上端部には、天井７側に設置され下向きに開口した開口部５ａを有した上レール５にガイドされる上ガイド部３が設けられている。上レール５には、給電部２０に接続される電源コード２が移動パネル１の移動に伴って追従するように収容され、開口部５ａを塞ぐレールカバー部５０が設けられている。
以下、詳しく説明する。
【００１３】
まず、移動パネル１の形状、大きさ等は図例に限定されないが、図例の移動パネル１は、略矩形平板状とされ、天井７から床９まで上下に長尺とされている。
移動パネル１の構造も特に限定されないが、表裏に設けられた略矩形薄板状の一対の板材１０，１０（図３（ａ）参照）と、一対の板材１０，１０間に設けられた枠材１１とを有しているものとしてもよい。この場合、移動パネル１は、略角柱形状に形成された芯材１１ａ，１１ｂを複数用いて長方形状のパネル状の枠材１１を構成し、その表裏両面に板材１０，１０を貼着したいわゆるフラッシュ構造とされている。
板材１０，１０としては合板、ＬＶＬ、パーティクルボード（ＰＢ）などの木質系材、枠材１１を構成する縦向き或いは横向きに配される芯材１１ａ，１１ｂとしては集成材、無垢材などを用いることができる。
【００１４】
移動パネル１には、走行範囲内のどの位置にあっても、負荷２１へ電力を供給できるように給電部２０が設けられている。ここでは負荷２１の一例としてテレビが取り付けられている例を示している。負荷２１は、移動パネル１の表側の板材１０の略中央下方側に固定具等によって取り付けられている。
移動パネル１は、上述のようにフラッシュ構造とされているため、図４（ｂ）に示すように表裏の板材１０，１０と枠材１１との間に空間Ｓを有している。この空間Ｓ内には、負荷２１の電気配線（不図示）が接続されるコンセントを備えた給電部２０が設けられている。そしてこの給電部２０は、電源コード２と電気的に接続され、電源コード２は分電盤（不図示）と電気的に接続されている。
【００１５】
移動パネル１の走行構造は特に限定されないが、図例のものは、床９に設けられた下レール６の上を走行する下荷重構造とされている。移動パネル１は、上レール５及び下レール６に沿って走行するよう構成されており（図１（ａ）の矢印ｄ方向参照）、壁８に形成された大小の略矩形状の開口部８ａと開口部８ｂの間を移動可能とされている。
移動パネル１は、幅方向両側の上方側にそれぞれ配設された一対の上ガイド部３，３（図３（ａ）及び（ｂ）参照）と、幅方向両側の下方側にそれぞれ配設された一対の下ガイド部（不図示）と、を備えている。
【００１６】
上ガイド部３，３は、図３（ａ）に示すように上レール５内に収容され、移動パネル１の移動を伴い上レール５の内面に当接されて回転するガイドローラー３０と、このガイドローラー３０を回動自在に支持する垂直軸３１と、を備えている。
ガイドローラー３０は、略円盤形状（略扁平円筒形状）とされており、移動パネル１の移動に伴い、その外周面が上レール５の両側壁部５ｃ，５ｃ内面の一方に当接されて垂直軸３１の軸心回りを回動する。
下レール６の構成、構造も特に限定されないが、図例のものは、下レール６が、開口部８ａの半分領域を移動パネル１で塞ぐ位置から（図１（ａ）参照）、他方の開口部８ｂ全体を塞ぐ位置まで（図１（ｂ）参照）、床９上に敷設され、上向きに開口した縦断面略Ｕ字状または略Ｃ字状とされている。下ガイド部は、図示していないが、例えば走行方向が自在とされた戸車等としてもよい。
【００１７】
上レール５の構成、構造は特に限定されないが、図例のものは、上レール５が、壁８の左端から、大きい開口部８ａの半分領域を移動パネル１で塞ぐあたりまで設けられている。
上レール５は、金属系材料や硬質の合成樹脂系材料などで形成され、直線状で且つ縦断面略Ｕ字状または略Ｃ字状に形成されている。
本実施形態では、図２（ａ）に示すように上レール５を天井７に沿って下向きに開口した状態で固定されている。上レール５の天井７側への固定は、下方側からねじ等の固定止具によって固定する態様としてもよい。
上レール５は、図２（ａ）に示すように、上板部５ｂと、この上板部５ｂの幅方向両側縁から垂れ下がるように連成された両側壁部５ｃ，５ｃと、両側壁部５ｃ，５ｃの下縁部に、上レール５の幅方向内方側に向けて突出する係止片部５ｄ，５ｄとを備えている。さらに係止片部５ｄ，５ｄとの間は開口部５ａとなっており、この開口部５ａは、上レール５の全長にわたって形成されている。
上レール５の縦断面形状は、略Ｃ字状とされ、上レール５内には、給電部２０に接続される電源コード２が移動パネル１の移動に伴って追従するように収容され、上レール５には、開口部５ａを塞ぐレールカバー部５０が設けられている。
このように上レール５の開口部５ａを塞ぐレールカバー部５０が設けられているので、上レール５内に移動パネル１の給電部２０に接続される電源コード２が収容されていても、その垂れ下がりを防止し、余長配線処理を見栄えよく行うことができる。
【００１８】
レールカバー部５０の構成、構造は、開口部５ａを塞ぎ、上レール５内に収容されている電源コード２及び移動パネル１の走行の邪魔にならなければ特に限定されない。
例えば、本実施形態のように、開口部５ａを塞ぐ固定レールカバー５１と、固定レールカバー５１の上方に配され、移動パネル１に連結され移動パネルの走行とともに移動する可動レールカバー５２とを有しているものとしてもよい。
【００１９】
図２（ｂ）は、上レール５の外観をわかりやすく示すため、天井７側の上方からみた概略的斜視図であり、図２（ｂ）に示すように上レール５の外側からはレールカバー部５０も電源コード２も見えない。
図２（ｃ）は、上レール５の内部構造をわかりやすく示すため、上板部５ｂと前方側（壁８とは反対側）の側壁部５ｃの図示を省略した概略的斜視図である。
図２（ａ）及び図２（ｃ）に示すように、図例の固定レールカバー５１は縦長薄板体からなり、係止片部５ｄ，５ｄによって幅方向の両端部が係止され、開口部５ａを塞ぐように設けられている。
固定レールカバー５１は、上レール５の全長にわたって形成された開口部５ａのすべてを塞ぐように設けられておらず、壁８の左端から小さい開口部８ｂの左端部までの開口部５ａを塞ぐように設けられている（図１（ａ）及び（ｂ）参照）。
固定レールカバー５１は、その幅方向両端部が係止片部５ｄ，５ｄに係止されていればよく、係止片部５ｄに接着剤や固定具等によって固定するようにしてもよい。また、移動パネル１の走行に伴って移動する可動レールカバー５２と接触しない場合は、固定レールカバー５１は、係止片部５ｄ，５ｄに固定されていなくてもよい。
【００２０】
そしてその固定レールカバー５１の上には、同じく縦長薄板体からなり、移動パネル１の移動に伴って移動する可動レールカバー５２（図２（ｃ）の矢印ｄ１方向参照）が設けられている。
可動レールカバー５２の長さは、移動パネル１の可動範囲に応じて設定され、開口部５ａが固定レールカバー５１で覆われていない一方の開口部８ｂから他方の開口部８ａまでの間を移動パネル１の移動に伴って電源コード２が垂れ下がらないように設けられる。
また可動レールカバー５２は、移動パネル１が開口部８ｂを塞ぐ位置に設置された場合に、上レール５内に収容される長さとされる。
なお、図１（ａ）及び図１（ｂ）では、可動レールカバー５２を点線で示した固定レールカバー５１及び電源コード２と区別するため、一点鎖線で示している。
可動レールカバー５２は、固定レールカバー５１の上に浮かせた状態で後記する固定具４によって片側を支持するようにしてもよいし、上レール５の両側壁部５ｃ，５ｃの内面にレール溝、もしくはレール凸部を形成し、左右方向に移動自在としてもよい。また可動レールカバー５２は、固定レールカバー５１の上を摺り動く構成としてもよい。すなわち、図２（ａ）及び図２（ｃ）に示すように、固定レールカバー５１と可動レールカバー５２との間に隙間を持たせるようにしてもよいし、固定レールカバー５１の上に可動レールカバー５２を重ねて設けるようにしてもよい。
【００２１】
可動レールカバー５２は、図３（ｂ）に示すようにその一方端部が、移動パネル１の上端面の角部近傍、具体的には、一方の上ガイド部３のさらに角部寄りに設けられた固定具４によって移動パネル１と連結されている。よって可動レールカバー５２の一方端部（図例のものは右端）には、固定具４と連結するための挿通孔（不図示）が形成されている。
すなわち、移動パネル１の左側に設けられた上ガイド部３と、可動レールカバー５２の右端とが固定具４で連結されるため、可動レールカバー５２の右端に挿通孔が形成されている。
移動パネル１と可動レールカバー５２との連結構造は、可動レールカバー５２が移動パネル１の移動に伴って移動する構造であれば、特に限定されず、固定具４による連結構造も特に限定されない。図例の固定具４は、ボルト４０と、中空で内壁に雌ねじが形成された筒部４１とを備え、筒部４１の上に可動レールカバー５２の挿通孔が位置するようにセットし、その状態でボルト４０を挿通させ螺入すれば、可動レールカバー５２を移動パネル１と連結させることができる。
可動レールカバー５２の上方には、分電盤から供給される電気を給電部２０に送るための電源コード２が這わされている。
【００２２】
電源コード２は上レール５内で移動パネル１の移動に伴って撓んだり引き出されたりするようにしてもよいが、図に示すようにコードリール部２２を設けるようにしてもよい。
すなわち、上レール５の長手方向の端部に、電源コード２の巻き取り及び繰り出しが自在なコードリール部２２が設けられているものとしてもよい。
図４（ａ）には、壁８の上方の左端入隅部にコードリール部２２を設けた例を示している。
コードリール部２２の構成、構造は特に限定されず、電源コード２が傷ついたり、断線したりすることなく、また移動パネル１の移動を阻害することがないものが採用され、電源コード２の余長部分を巻き取ったり、必要な長さの繰り出しができればよい。例えば電源コード２が巻きつけられる回転体やぜんまいバネを備えたものとすることができる。
これによれば、上レール５内に電源コード２の余長部分が絡まってしまうことを防ぐことができる。
【００２３】
上レール５内に収容された電源コード２は、移動パネル１の給電部２０に引き込むが、このとき、電源コード２を移動パネル１の外側をつたうのではなく、移動パネル１内に引き込むようにしてもよい。
すなわち、図４（ｂ）に示すように移動パネル１の上端部には、上レール５内から一対の板材１０，１０と枠材１１との間に形成される空間Ｓ内へ電源コード２を給電部２０側に引き込む引き込み部２ａが設けられているものとしてもよい。
図例のものは移動パネル１の上方横向きに配された芯材１１ａを移動パネル１の略中央部位で分断し、芯材１１ａと芯材１１ａとの間に引き込み空間Ｓ１を形成する。
そして芯材１１ａの一方の上方角部（図例では左側に配された芯材１１ａ）に、引き込み部２ａを設けた例を示している。これによれば、上レール５内に配された電源コード２を引き込み空間Ｓ１を通じて空間Ｓ、給電部２０へと引き込むことができる。
【００２４】
引き込み部２ａの構成、構造は、電源コード２をスムーズに給電部２０へ引き込むことができれば、特に限定されない。
図例の引き込み部２ａは、電源コード２を給電部２０側へと案内するローラ部２０ｂと、このローラ部２０ｂの両端を支持する支持部２０ａ，２０ａとを備えたものを示している。ローラ部２０ｂは、支持部２０ａ，２０ａによって支持される軸部（不図示）を中心に回動するように構成されている。
このローラ部２０ｂが移動パネル１の芯材１１ａの上方角部に設けられているので、略水平に設けられた上レール５内に収容された電源コード２を上レール５に対して略垂直方向に引き出して給電部２０側へ引き込むことができる。
電源コード２を給電部２０側に引き込む際には、電源コード２がコードリール部２２から繰り出されるのに伴い、ローラ部２０ｂは給電部２０方向（図４（ｂ）の矢印ｄ２方向参照）に回転する。一方、電源コード２がコードリール部２２によって巻き取られる際には、電源コード２が上レール５内に引き込まれるのに伴い、ローラ部２０ｂは給電部２０方向とは反対方向（図４（ｂ）の矢印ｄ３方向参照）に回転する。
このように引き込み部２ａが設けられたものとすれば、上レール５内に収容された電源コード２が移動パネル１の外側をつたうことなく、移動パネル１内に引き込むことができ、見栄えのよいものとすることができる。
【００２５】
ローラ部２０ｂは、図４（ｂ）に示すように芯材１１ａの上方角部に設けられた凹部１１ａａから突出して設けられていることが望ましい。またこのときの突出量は、上ガイド部３と当たらない位置とすれば、コードリール部２２による電源コード２の巻き取り及び繰り出しをスムーズに行うことができ、移動パネル１の走行もスムーズなものとすることができる。
なお、ここでは図示していないが、電源コード２とレールカバー部５０との間に隙間を形成するため、上レール５内に上レール５の全長の長さに応じて、電源コード２を下方から支持する支持部を設けるようにしてもよい。この場合も、上レール５内で電源コード２が撓むことがないので、コードリール部２２による電源コード２の巻き取り及び繰り出しをスムーズに行うことができ、移動パネル１の走行もスムーズなものとすることができる。
【００２６】
続いて図１（ａ）及び図１（ｂ）を参照しながら、移動パネル１の走行とレールカバー部５０との関連を説明する。
まず図１（ａ）の状態は、移動パネル１が上レール５及び下レール６のもっとも右端に位置した状態を示している。この場合、可動レールカバー５２は固定レールカバー５１から最も引き出された状態になっている。またこのとき、電源コード２もコードリール部２２から最も引き出された状態になっているが、固定レールカバー５１及び可動レールカバー５２によって電源コード２が隠されている。
図１（ｂ）の状態は、移動パネル１が下レール６のもっとも左端に位置した状態を示している。この場合、可動レールカバー５２は、固定レールカバー５１の上方に重なるようにして上レール５内に双方が収容された状態になっている。またこのとき、電源コード２はコードリール部２２に最も巻き取られた状態になっており、上レール５内で電源コード２が絡まってしまうことを防止することができる。
このように移動パネル１は、この図１（ａ）に示す位置から図１（ｂ）に示す位置までの間を走行自在とされている。移動パネル１が壁８の左端側へ移動すれば、電源コード２はコードリール部２２によって巻き取られる一方、移動パネル１が壁８の右端側へ移動すれば、電源コード２はコードリール部２２によって繰り出しされる。
【００２７】
以上のように本実施形態の移動パネル１によれば、例えば負荷２１であるテレビを見易い位置に移動させたいときは、移動パネル１を上レール５に沿って動かせばよい。その際に給電部２０と接続され上レール５内に収容される電源コード２が上レール５から垂れ下がることがないので、見栄えがよいだけなく、移動パネル１の走行を邪魔することがない。
また以上のように下荷重構造とすれば、テレビのように重さのある負荷２１を移動パネル１に設置する場合でも、安定した状態で移動パネル１を所望する位置に動かすことができる。
【００２８】
次に、本実施形態に係る移動パネルへの給電構造の変形例について図５に基づいて説明する。
なお、以下の各変形例では、上記した例との相違点について主に説明し、同様の構成については、同一符号を付し、その説明を省略または簡略に説明する。
この変形例は、レールカバー部５０が上述のものとは異なり、レールカバー部５０が電源コード２に一体に形成されている。
図５（ａ）に示すように、電源コード２は横方向に扁平な略矩形状とされ、電源コード２の下面２ｂの幅方向寸法が開口部５ａの幅方向の寸法より大とされていることで、開口部５ａを覆うことができるよう構成されている（図５（ｂ）参照）。すなわち、電源コード２の下面２ｂが上レール５の開口部５ａを塞ぐレールカバー部５０を兼ねている。
【００２９】
電源コード２の形状は、図例に限定されず、コードリール部２２で巻き取り及び繰り出しが可能な形状であればよく、例えば断面が楕円形状や台形状等であってもよい。
この場合、上レール５には、図１等に示した固定レールカバー５１も可動レールカバー５２もないので、移動パネル１の可動範囲が大きくとることができる。すなわち、例えば図１（ａ）に設けられた下レール６を上レール５と略同じ長さとすれば、これらレール５，６の端部から端部まで（右端から左端まで）を移動パネル１の可動範囲とすることができる。
【００３０】
以上の実施形態で説明した移動パネル１、電源コード２、上ガイド部３、上レール５、給電部２０、レールカバー部５０、引き込み部２ａ等の形状や構成などは上述の例に限定されない。またコードリール部２２の形状、構成、設置位置等も図例に限定されず、壁８の右端に設けてもよい。給電部２０の設置位置も図例に限定されない。壁８に設けられた開口部８ａ，８ｂの構成も図例に限定されず、例えば移動パネル１は収納キャビネットの前方に走行自在に設けられるものであってもよく、移動パネル１が引き戸として用いられるものであってもよい。さらにここでは下レール６を備えた場合について説明したが、これも図例に限定されず、移動パネル１を上レール５のみに沿って走行する上吊り構造としてもよいし、移動パネル１の下方に床９を走行するキャスターを設けるようにしてもよい。
【符号の説明】
【００３１】
１          移動パネル
２          電源コード
２ａ        引き込み部
２２        コードレール部
３          上ガイド部
５          上レール
５ａ        開口部
５０        レールカバー部
５１        固定レールカバー
５２        可動レールカバー
７          天井
８          壁
９          床
１０        板材
１１        枠材
１１ａ      芯材
Ｓ          空間
【図１】
2014241702.tif 000003
【図２】
2014241702.tif 000004
【図３】
2014241702.tif 000005
【図４】
2014241702.tif 000006
【図５】
2014241702.tif 000007